(57)【要約】      （修正有） 【課題】延長コードの装置を提供する。【解決手段】本考案の延長コードの装置は、延長コード１０が互いに組み立てる上ハウジング１と下ハウジング２とを含み、該上ハウジング１と該下ハウジング２の一側に、互いに対応する複数の切欠き溝と複数の凹槽が設けられ、該下ハウジング２が収容槽を有し、該収容槽の内に各該切欠き溝と各該凹槽に対応する枢着台が設けられ、該延長コード１０がさらに複数のコンセント３を含み、各該コンセント３が各該枢着台に枢着され、該切欠き溝と該凹槽との間に枢動されて変位される。【選択図】図１
0003213750.tif 000002
【実用新案登録請求の範囲】
【請求項１】
延長コードが互いに組み立てる上ハウジングと下ハウジングとを含み、該上ハウジングと該下ハウジングの一側に、互いに対応する複数の切欠き溝と複数の凹槽が設けられ、該下ハウジングが収容槽を有し、該収容槽の内に各該切欠き溝と各該凹槽に対応する枢着台が設けられ、
該延長コードがさらに複数のコンセントと、各該コンセントの数量に対応する結合部材とを含み、
各該コンセントが各該枢着台に枢着され、該切欠き溝と該凹槽との間に枢動されて変位され、各該コンセントの頂部に複数の差込口を有し、各該コンセントの底部に収納槽を有し、
各該結合部材が該コンセントの該収納槽の内に取り付けられることを特徴とする延長コードの装置。
【請求項２】
各該結合部材が結合孔と、該コンセントの各該差込口に対応する差込槽と、両端に位置する枢着槽とを有し、各該枢着台が結合柱と２つのガイドベーンとを含み、該結合部材の該結合孔が該枢着台の該結合柱に取り付けられ、該結合部材の該枢着槽が２つの該ガイドベーンに枢着され、２つの該ガイドベーンが該差込槽及び該差込口に対応することを特徴とする請求項１に記載の延長コードの装置。
【請求項３】
延長コードが互いに組み立てる上ハウジングと下ハウジングとを含み、該上ハウジングと該下ハウジングの一側に、互いに対応する複数の切欠き溝と複数の凹槽が設けられ、該下ハウジングが収容槽を有し、該収容槽の内に各該切欠き溝と各該凹槽に対応する枢着台が設けられ、該収容槽にさらにコンセントの数量に対応するスイッチが設けられ、該上ハウジングに該スイッチの数量に対応する凹部が設けられ、各該凹部の槽底にそれぞれに開き孔が設けられ、該上ハウジングと該下ハウジングが互いに組み立てる時に、各該開き孔がそれらに対応する該スイッチをそれぞれに被せ、各該スイッチの局部が該空き孔で露出され、
該延長コードがさらに複数のコンセントを含み、各該コンセントが各該枢着台に枢着され、該切欠き溝と該凹槽との間に枢動されて変位されることを特徴とする延長コードの装置。 
【考案の詳細な説明】
【技術分野】
【０００１】
本考案は延長コードの技術領域に関し、特にコンセントの方向と角度を調整可能な延長コードの装置に関する。
【背景技術】
【０００２】
科技の進歩に伴い、様々な電気器具用品、ハイテク製品が絶えず提案され、毎の家庭に何種類の電気製品を同時に使用される場合がよくある。しかしながら、普通の住宅のコンセントの数量が限られ、居間を例として、１つの居間ごとに大体３〜５つのコンセントを有し、パソコン、テレビ、扇風機、エアコン、及び充電器などの電気製品を同時に使用すると、コンセントの不足の問題が発生し、シングルスイートルームならそのコンセントの数量がさらに少ないため、延長コードが現代の普通の家庭に対し、欠けないコンセントを拡充する工具ともいえる。
【０００３】
現在の電気器具の種類が多いため、それらに使用するプラグの保持部が従来のようにただ簡単な構成ではなく、該保持部の設計がプラグの内部の給電構造によってプラグの形とサイズが異なり、或いは異なる設計を有するプラグの形により自社の製品の風格を満たし、他の会社の製品と異なる独特性を強調している。
【０００４】
よって、異なる電気器具に使用されるプラグの形と体積が異なり、いくつのプラグが同時に延長コードに排列されると、特別な形を有する又は大きい体積のプラグが多い空間を占め、両側にあるコンセントがそれとの間隔が小さくなって使用できず、即ち特別な形を有する又は大きい体積のプラグが両側にあるコンセントの上方の空間を占め、他のプラグがコンセントの差込口を合せて差し込むことができず、それらの使用できないコンセントが無駄に設置したものようであり、延長コードを使用してコンセントの数量を拡充してもコンセントの不足の問題を解決できない。
【０００５】
上記の点に鑑みて、本考案者は時間を投入して関連知識を研究し、各製品の優劣を比較し、関連製品の研究と開発を進め、何回の実験とテストを経た結果、本考案の延長コードの装置を提案し、上記の欠点を改善し、消費者の使用に満たすようにする。
【先行技術文献】
【特許文献】
【０００６】
【特許文献１】特開2012-59681号公報
【考案の概要】
【考案が解決しようとする課題】
【０００７】
本考案の主な目的は、コンセントにより延長コードの上に径方向にコンセントの差し込み角度を調整して固定させ、従来の延長コードのコンセントの角度を変更できない問題を解決し、さらに、従来の延長コードのコンセントが同一の間隔で延長コードに設置され、いずれのコンセントの差込口を差し込まれるプラグの体積が大きい場合、隣りのコンセントの使用空間を容易に占め、隣りのコンセントが効果的に使用できず、延長コードの使用可能のコンセントの数量を少なくなり、延長コードが元に達成しようとする効果を失う問題を解決できる、コンセントの角度を調整して制限可能な延長コードの装置を提供することにある。
【課題を解決するための手段】
【０００８】
上述した目的を達成するために、本考案に係る延長コードの装置は、延長コードが互いに組み立てる上ハウジングと下ハウジングとを含み、該上ハウジングと該下ハウジングの一側に、互いに対応する複数の切欠き溝と複数の凹槽が設けられ、該下ハウジングが収容槽を有し、該収容槽の内に各該切欠き溝と各該凹槽に対応する枢着台が設けられ、該延長コードがさらに複数のコンセントと、各該コンセントの数量に対応する結合部材とを含み、各該コンセントが各該枢着台に枢着され、該切欠き溝と該凹槽との間に枢動されて変位され、各該コンセントの頂部に複数の差込口を有し、各該コンセントの底部に収納槽を有し、各該結合部材が該コンセントの該収納槽の内に取り付けられる。
【０００９】
本考案の更なる技術特徴とは、各該結合部材が結合孔と、該コンセントの各該差込口に対応する差込槽と、両端に位置する枢着槽とを有し、各該枢着台が結合柱と２つのガイドベーンとを含み、該結合部材の該結合孔が該枢着台の該結合柱に取り付けられ、該結合部材の該枢着槽が２つの該ガイドベーンに枢着され、２つの該ガイドベーンが該差込槽及び該差込口に対応する。
【００１０】
本考案に係る延長コードの装置のもう１つの実施形態において、延長コードが互いに組み立てる上ハウジングと下ハウジングとを含み、該上ハウジングと該下ハウジングの一側に、互いに対応する複数の切欠き溝と複数の凹槽が設けられ、該下ハウジングが収容槽を有し、該収容槽の内に各該切欠き溝と各該凹槽に対応する枢着台が設けられ、該収容槽にさらにコンセントの数量に対応するスイッチが設けられ、該上ハウジングに該スイッチの数量に対応する凹部が設けられ、各該凹部の槽底にそれぞれに開き孔が設けられ、該上ハウジングと該下ハウジングが互いに組み立てる時に、各該開き孔がそれらに対応する該スイッチをそれぞれに被せ、各該スイッチの局部が該空き孔で露出され、該延長コードがさらに複数のコンセントを含み、各該コンセントが各該枢着台に枢着され、該切欠き溝と該凹槽との間に枢動されて変位される。
【考案の効果】
【００１１】
よって、本考案は実用性と進歩性を具有するものであり、かなり当領域に普及される価値があり、公然と知られるべきである。
【図面の簡単な説明】
【００１２】
【図１】本考案が組み立てられる状態を示す斜面図である。
【図２】本考案が分解される状態を示す斜面図である。
【図３】本考案が分解される状態を他の視角で示す斜面図である。
【図４】本考案を示す断面図である。
【図５】本考案のコンセントが上方へ枢動される状態を示す断面図。
【図６】本考案のコンセントが上方へ枢動される状態を示す断面図である。
【図７】本考案の使用状態を示す図である。
【図８】本考案に係る延長コードの装置のもう１つの実施例を示す斜面図である。
【考案を実施するための形態】
【実施例】
【００１３】
本考案が達成できる上述の目的と効果を更に詳しく説明するために、図及び本考案の実施例に合せてその特徴と効果を詳細に説明する。図１から図７までに示す実施例を参照し、本考案に係る延長コードの装置は、延長コード１０が互いに組み立てる上ハウジング１と下ハウジング２とを含み、該上ハウジング１と該下ハウジング２の一側に、互いに対応する複数の切欠き溝１１と複数の凹槽２１が設けられ、該下ハウジング２が収容槽２２を有し、該収容槽２２の内に各該切欠き溝１１と各該凹槽２１に対応する枢着台２２１が設けられ、該延長コード１０がさらに複数のコンセント３と、各該コンセント３の数量に対応する結合部材４とを含み、各該コンセント３が各該枢着台２２１に枢着され、該切欠き溝１１と該凹槽２１との間に枢動されて変位され、各該コンセント３の頂部に複数の差込口３１を有し、各該コンセント３の底部に収納槽３２を有し、各該結合部材４が該コンセント３の該収納槽３２の内に取り付けられる。
【００１４】
前記は本考案の主な実施例の主な技術特徴であり、本考案の請求項１の内容に対応し、本考案の目的と実施形態を詳細に知ることができる。他の従属項にて述べる技術特徴は、請求項１の内容の詳細記述、或いは付加した技術特徴であり、請求項１の範囲に制限する必要がなく、本考案の請求項１は必ずしもその他の従属項に述べる技術特徴を含めなくても良い。
【００１５】
図２及び図３を参照し、各該結合部材４が結合孔４１と、該コンセント３の各該差込口３１に対応する差込槽４２と、両端に位置する枢着槽４３とを有し、各該枢着台２２１が結合柱２２１１と２つのガイドベーン２２１２とを含み、該結合部材４の該結合孔４１が該枢着台２２１の該結合柱２２１１に取り付けられ、該結合部材４の該枢着槽４３が２つの該ガイドベーン２２１２に枢着され、２つの該ガイドベーン２２１２が該差込槽４２及び該差込口３１に対応し、使用者がプラグを該コンセント３の該差込口３１に差し込む時に、プラグの差し込み端が先に該差込口３１より差込槽４２を導入され、また該ガイドベーン２２１２の内に差し込まれる。
【００１６】
なお、本考案の該下ハウジング２の該収容槽２２に、さらに該コンセント３の数量に対応するスイッチ５が設けられ、該上ハウジング１に該スイッチ５に対応する位置に開き孔１２が設けられ、該上ハウジング１と該下ハウジング２が互いに組み立てる時に、各該開き孔１２がそれらに対応する該スイッチ５をそれぞれに被せ、各該スイッチ５の局部が該空き孔１２で露出されるため、使用者が該スイッチ５（ＯＮ，ＯＦＦ）の設置によりそれらに対応する該コンセント３のオンオフを制御し、使用者が選択的に該延長コード１０の上にあるいずれの該コンセント３の使用を押す又は切ることができる。
【００１７】
本考案に係る延長コードの装置のもう１つの実施例は、図８に示すように、該上ハウジング１に該スイッチ５の数量に対応する凹部１３が設けられ、各該凹部１３の槽底にそれぞれに開き孔１２が設けられ、該上ハウジング１と該下ハウジング２が互いに組み立てる時に、各該開き孔１２がそれらに対応する該スイッチ５をそれぞれに被せ、各該スイッチ５の局部が該空き孔１２で露出され、各該開き孔１２が各該凹部１３の槽底に設けられることにより、該スイッチ５の高さが下がって該上ハウジング１の上表面より低い、該延長コード１０に過度に露出するため誤って押す可能の欠点を回避けることができる。
【００１８】
上記により、本考案は該下ハウジング２の該収容槽２２の該枢着台２２１に枢着される該コンセント３を利用し、使用者が該コンセント３を該上ハウジング１と該下ハウジング２の該切欠き溝１１と該凹槽２１との間に枢動させて該コンセント３の角度を調整させ、該コンセント３により該延長コード１０の上に径方向に該コンセント３の差し込み角度を調整して固定させ、従来の延長コードのコンセントの角度を変更できない問題を解決し、さらに、従来の延長コードのコンセントが同一の間隔で延長コードに設置され、いずれのコンセントの差込口を差し込まれるプラグの体積が大きい場合、隣りのコンセントの使用空間を容易に占め、隣りのコンセントが効果的に使用できず、延長コードの使用可能のコンセントの数量を少なくなり、延長コードが元に達成しようとする効果を失う問題を解決できる。
【００１９】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２０】
１０……延長コード
１……上ハウジング
１１……切欠き溝
１２……開き孔
１３……凹部
２……下ハウジング
２１……凹槽
２２……収容槽
２２１……枢着台
２２１１……結合柱
２２１２……ガイドベーン
３……コンセント
３１……差込口
３２……収納槽
４……結合部材
４１……結合孔
４２……差込槽
４３……枢着槽
４４……スイッチ
【図１】
0003213750.tif 000003
【図２】
0003213750.tif 000004
【図３】
0003213750.tif 000005
【図４】
0003213750.tif 000006
【図５】
0003213750.tif 000007
【図６】
0003213750.tif 000008
【図７】
0003213750.tif 000009
【図８】
0003213750.tif 000010